(57)【要約】【課題】ケースの部品点数を増やすことなく、ケースの剛性を高くすることができる。【解決手段】プリンタ１０は、記録媒体５が載置されるテーブル８１と、テーブル８１を覆うケース２０と、表示画面９２および操作部９３を有する操作パネル９０と、を備えている。ケース２０は、第１フレームの一例である右フレーム３３および第２フレームの一例であるサポートフレーム３４を備えている。右フレーム３３とサポートフレーム３４とは、対向するように配置されている。操作パネル９０は、表示画面９２および操作部９３が設けられ、右フレーム３３とサポートフレーム３４とに挟み込まれたパネル本体９１を有する。【選択図】図９
2020151998.tif 000002
【特許請求の範囲】
【請求項１】
記録媒体が載置される載置部と、
前記載置部を覆うケースと、
表示画面および操作部を有する操作パネルと、
を備え、
前記ケースは、第１フレームおよび第２フレームを備え、
前記第１フレームと前記第２フレームとは、対向するように配置され、
前記操作パネルは、前記表示画面および前記操作部が設けられ、前記第１フレームと前記第２フレームとに挟み込まれたパネル本体を有する、プリンタ。
【請求項２】
前記表示画面および前記操作部を覆うと共に、前記表示画面および前記操作部を開放自在なパネルカバーを備え、
平面視において前記第１フレームと前記第２フレームとの間には、メンテナンス用の開口が設けられており、
前記ケースは、前記開口の少なくとも一部を覆うように、前記第１フレームと前記第２フレームとに連結された第３フレームを備え、
前記パネル本体の上面は、前記第１フレームの上端および前記第２フレームの上端よりも下方に位置し、
前記パネルカバーが前記表示画面および前記操作部を覆っているとき、前記パネルカバーの上面と、前記第３フレームの上面とは、面一である、請求項１に記載されたプリンタ。
【請求項３】
前記第３フレームは取り外し可能に構成され、
前記パネルカバーは、前記第３フレームの取り外しに伴って、前記ケースから取り外し可能に構成されている、請求項２に記載されたプリンタ。
【請求項４】
前記パネルカバーは、前記表示画面および前記操作部を覆う方向に下降傾斜するように配置されている、請求項２または３に記載されたプリンタ。
【請求項５】
前記載置部の上方に設けられ、主走査方向に延びたガイドレールと、
前記ガイドレールに係合するインクヘッドと、
を備え、
前記第１フレームおよび前記第２フレームは、前記載置部よりも前記主走査方向側に設けられている、請求項１から４までの何れか１つに記載されたプリンタ。
【請求項６】
前記第１フレームの一端には、フランジが設けられ、
前記ケースは、
前記第１フレームの前記フランジの端と接触し、前記フランジとは反対側に向かって延びた板状の第４フレームと、
前記第１フレームの前記フランジの裏面から前記第４フレームの裏面に亘って配置された裏当て部材と、
を有している、請求項１から５までの何れか１つに記載されたプリンタ。
【請求項７】
前記裏当て部材は、前記第１フレームの前記フランジに固定されている、請求項６に記載されたプリンタ。
【発明の詳細な説明】
【技術分野】
【０００１】
本発明は、プリンタに関する。
【背景技術】
【０００２】
例えば、特許文献１には、主走査方向に延びるガイドレールと、ガイドレールに摺動自在に設けられたキャリッジと、キャリッジに搭載されたインクヘッドと、媒体が載置されるテーブルと、テーブルを副走査方向に移動させる移動機構とを備えたプリンタが開示されている。特許文献１に開示されたプリンタでは、インクヘッドは、主走査方向に移動しながらテーブルに載置された媒体にインクを吐出する。その後、テーブルに載置された媒体が移動機構によって副走査方向に移動する。以上のことを繰り返し行うことによって、媒体に所定の画像が印刷される。
【０００３】
また、特許文献１に開示されたプリンタでは、ガイドレール、キャリッジ、インクヘッド、テーブルおよび移動機構などの構成部材は、ケースに収容されている。ケースの内部にて印刷が行われる。そのため、ケースの外部からの光がケースによって遮られるため、インクが不必要に硬化し難くすることができる。また、ケースの外部の埃やゴミなどが印刷中の媒体に付着し難くすることができる。
【先行技術文献】
【特許文献】
【０００４】
【特許文献１】特開２０１３−１００４号公報
【発明の概要】
【発明が解決しようとする課題】
【０００５】
ところで、上記プリンタなどで使用されるケースは、複数のフレームによって構成されており、それらフレームを互いに接続することで形成されている。ケース自体は、剛性が高いことが好ましい。また、コストの観点からケースを構成する部品点数は少ないことが好ましい。
【０００６】
本発明はかかる点に鑑みてなされたものであり、ケースの部品点数を増やすことなく、ケースの剛性を高くすることが可能なプリンタを提供することである。
【課題を解決するための手段】
【０００７】
本発明に係るプリンタは、載置部と、ケースと、操作パネルと、を備えている。前記載置部には、記録媒体が載置される。前記ケースは、前記載置部を覆う。前記操作パネルは、表示画面および操作部を有する。前記ケースは、第１フレームおよび第２フレームを備えている。前記第１フレームと前記第２フレームとは、対向するように配置されている。前記操作パネルは、前記表示画面および前記操作部が設けられ、前記第１フレームと前記第２フレームとに挟み込まれたパネル本体を有する。
【０００８】
上記プリンタによれば、パネル本体は、ケースを構成する第１フレームと第２フレームによって挟み込まれている。そのため、パネル本体によってケースの剛性を高めることができる。また、パネル本体自体は、操作パネルを構成する部品の一部である。よって、操作パネルを構成する一部品であるパネル本体をケースの剛性を高めるために使用しているため、ケースの部品点数を増やすことなく、ケースの剛性を高めることができる。
【発明の効果】
【０００９】
本発明によれば、ケースの部品点数を増やすことなく、ケースの剛性を高くすることが可能なプリンタを提供することができる。
【図面の簡単な説明】
【００１０】
【図１】一実施形態に係るプリンタの斜視図である。
【図２】一実施形態に係るプリンタの内部構成を示す斜視図である。
【図３】一実施形態に係るプリンタの正面図である。
【図４】一実施形態に係るプリンタの左側面図である。
【図５】一実施形態に係るプリンタの右側面図である。
【図６】一実施形態に係るプリンタの背面図である。
【図７】一実施形態に係るプリンタの斜視図である。
【図８】一実施形態に係るプリンタの斜視図である。
【図９】ケースの第２ケース部の斜視図であり、右前カバーが開いてる状態を示す図である。
【図１０】ケースの第２ケース部の一部を拡大した斜視図である。
【図１１】第２右上フレームおよび右フレームの断面図である。
【図１２】第１右上フレームおよびパネルカバーの斜視図である。
【図１３】第１右上フレーム、操作パネルおよびパネルカバーの斜視図である。
【発明を実施するための形態】
【００１１】
以下、図面を参照しながら、本発明に係るプリンタの実施形態について説明する。なお、ここで説明される実施形態は、当然ながら本発明を特に限定することを意図したものではない。また、同じ作用を奏する部材・部位には同じ符号を付し、重複する説明は適宜省略または簡略化する。
【００１２】
図１は、本実施形態に係るプリンタ１０の斜視図である。以下の説明では、作業者がプリンタ１０を正面から見たときに、作業者がプリンタ１０から遠ざかる方を前方、作業者がプリンタ１０に近づく方を後方とする。左、右、上、下とは、プリンタ１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。図面中の符号Ｘは副走査方向を示している。ここでは、副走査方向Ｘは前後方向であり、平面視において主走査方向Ｙと直交している。ただし、上記方向は説明の便宜上定めた方向に過ぎず、プリンタ１０の設置態様を何ら限定するものではなく、本発明を何ら限定するものでもない。
【００１３】
プリンタ１０は、インクジェット式のプリンタである。プリンタ１０は、家庭用のプリンタと比較すると主走査方向Ｙに長い、いわゆる大型のプリンタである。例えば、プリンタ１０は業務用のプリンタである。図２は、プリンタ１０の内部構成を示す斜視図である。図２では、後述するケース２０が省略されている。本実施形態では、図２に示すように、プリンタ１０は記録媒体５上に画像を印刷する。
【００１４】
記録媒体５は、例えば記録紙である。ただし、記録媒体５は記録紙に限定されない。例えば、記録媒体５には、ＰＶＣ、ポリエステルなどの樹脂材料から形成されたシート、アルミや鉄などから形成された金属板、ガラス板、木材板などの比較的厚みを有するものが含まれる。
【００１５】
プリンタ１０は、ベース部２１と、ケース２０（図１参照）と、ガイドレール５１と、インクヘッドユニット６０と、テーブルユニット８０と、操作パネル９０（図８参照）とを備えている。
【００１６】
ベース部２１は板状の部材であり、プリンタ１０の構成部品を支持するものである。ベース部２１の形状は、特に限定されないが、本実施形態では、平面視において矩形状の部材の前の左右両角を削ったような六角形形状である。ベース部２１には、内壁２２が設けられている。内壁２２は、ベース部２１から上方かつ主走査方向Ｙに延びている。内壁２２には、副走査方向Ｘに貫通する開口（図示せず）が形成されている。後述するテーブル８１は、内壁２２の上記開口を通過するように構成されている。
【００１７】
図２に示すように、ガイドレール５１は主走査方向Ｙに延びている。本実施形態では、ガイドレール５１は、内壁２２の前面に支持されており、テーブル８１よりも上方に配置されている。
【００１８】
インクヘッドユニット６０は、キャリッジ６２と、キャリッジケース６３と、インクヘッド６６とを備えている。キャリッジ６２は、ガイドレール５１に摺動自在に係合している。本実施形態では、プリンタ１０は、キャリッジ移動機構７０を備えており、キャリッジ移動機構７０は、キャリッジ６２を主走査方向Ｙに移動させる。キャリッジ移動機構７０は、左右のプーリ７１、７２と、無端状のベルト７３と、キャリッジモータ７４とを備えている。左側のプーリ７１は、ガイドレール５１の左端よりも左方に設けられている。右側のプーリ７２は、ガイドレール５１の右端よりも右方に設けられている。ベルト７３は、左右のプーリ７１、７２に巻き掛けられている。キャリッジ６２は、ベルト７３に取り付けられている。ここでは、右側のプーリ７２にキャリッジモータ７４が接続されている。キャリッジモータ７４が駆動して、右側のプーリ７２が回転することで、左右のプーリ７１、７２の間においてベルト７３が走行する。このベルト７３の走行に伴い、キャリッジ６２は主走査方向Ｙに移動する。
【００１９】
キャリッジケース６３は、キャリッジ６２に取り付けられている。インクヘッド６６は、その底面が下方に露出するようにキャリッジケース６３に収容されている。なお、インクヘッド６６の数は特に限定されない。ここでは、インクヘッド６６の数は、３つであるが、４つ以上であってもよい。図示は省略するが、インクヘッド６６の底面には、複数のノズルが形成されており、それらのノズルからインクが記録媒体５に向かって吐出される。ここで、インクヘッド６６から吐出されるインクは、いわゆる紫外線硬化インクである。紫外線硬化インクは、紫外線が照射されると硬化が促進されるインクである。インクヘッド６６は、キャリッジ６２の主走査方向Ｙへの移動に伴い、主走査方向Ｙに移動する。
【００２０】
テーブルユニット８０は、テーブル８１と、テーブル移動機構８５とを有している。テーブル８１には、記録媒体５が載置される。本実施形態では、テーブル８１の形状は、平面視において矩形状であるが、特に限定されない。テーブル８１は、ガイドレール５１より下方に配置され、かつ、インクヘッド６６より下方に配置されている。本実施形態では、テーブル８１の主走査方向Ｙの長さは、ガイドレール５１の主走査方向Ｙの長さよりも短い。ここでは、平面視においてガイドレール５１の右端部分は、テーブル８１から右方に突出している。なお、本実施形態では、テーブル８１は、本発明の「載置部」の一例である。テーブル８１は、テーブル移動機構８５によって副走査方向Ｘに移動可能に構成されている。
【００２１】
ここでは、テーブル移動機構８５は、テーブル８１を支持するキャリッジ８６と、キャリッジ８６をスライド可能に支持し、副走査方向Ｘに延びた左右一対のスライドレール（図示せず）とを備えている。図示は省略するが、テーブル移動機構８５は、さらに上記スライドレールの前方および後方に設けられた前後一対のプーリと、前後一対のプーリに巻き掛けられたベルトとを備えている。このベルトにキャリッジ８６が取り付けられ、前後一対のプーリの一方に接続された駆動モータが駆動して、ベルトが走行することで、テーブル８１は副走査方向Ｘに移動する。なお、詳しい説明は省略するが、テーブル８１は、上下方向に移動可能に構成されている。
【００２２】
本実施形態では、インクヘッド６６は、ガイドレール５１の左端から右端まで移動可能である。ガイドレール５１の右端部分であって、平面視においてテーブル８１から右方に突出しているガイドレール５１の部分にインクヘッド６６が配置されているとき、その位置は、印刷しないときにインクヘッド６６が待機するホームポジションＨＰである。ホームポジションＨＰは、インクヘッド６６に対してメンテナンスを実施する際の位置でもある。ここで、「メンテナンス」とは、複数のインクヘッド６６の相対的な位置を調整したり、インクヘッド６６に対してフラッシングやワイピングを行ったりすることである。なお、本実施形態では、ホームポジションＨＰは、ガイドレール５１の右端部分に位置しているが、ガイドレール５１の左端部分に位置していてもよい。
【００２３】
次に、ケース２０について詳述する。ケース２０内には、上述したガイドレール５１、インクヘッドユニット６０、テーブルユニット８０などが配置されている。本実施形態では、ケース２０とベース部２１によって囲まれた空間には、印刷空間２４Ａ、メンテナンス空間２４Ｂおよび収容空間２４Ｃが存在する。印刷空間２４Ａは、印刷が行われる空間であり、インクヘッド６６からインクが吐出される空間である。印刷空間２４Ａは、平面視において少なくともテーブル８１と重なる空間である。メンテナンス空間２４Ｂは、メンテナンスが実施される空間であり、ホームポジションＨＰが含まれる空間である。ここでは、メンテナンス空間２４Ｂは、印刷空間２４Ａの右方に位置している空間である。収容空間２４Ｃは、プリンタ１０を構成する部材の一部などが収容される空間であり、印刷空間２４Ａの左方に位置している。
【００２４】
ケース２０は、平面視において（言い換えると、図１の上方から視て）ベース部２１に支持されている。図１に示すように、ケース２０は、印刷空間２４Ａ（図２参照）および収容空間２４Ｃ（図２参照）を形成する第１ケース部２０Ａと、メンテナンス空間２４Ｂ（図２参照）を形成する第２ケース部２０Ｂとを備えている。
【００２５】
図３、図４、図５、図６は、それぞれプリンタ１０の正面図、左側面図、右側面図、背面図である。図７、図８は、それぞれプリンタ１０の斜視図である。本実施形態では、図３に示すように、第１ケース部２０Ａは、中央前フレーム２５Ａと、左前カバー２５Ｂと、を有している。中央前フレーム２５Ａは、ベース部２１の前端の中央部分から上方に向かって延びている。左前カバー２５Ｂは、中央前フレーム２５Ａの左方に配置されており、ベース部２１の前端の左部分から上方に向かって延びている。ここで、図８に示すように、左前カバー２５Ｂは、平面視において中央前フレーム２５Ａから左斜め後ろ向きに傾斜するように配置されている。本実施形態では、図３に示すように、左前カバー２５Ｂの後方であって、正面視において左前カバー２５Ｂと重なる位置には、開口２５Ｃａが形成された左前フレーム２５Ｃが配置されている。左前フレーム２５Ｃは、ベース部２１の前端の左部分から上方に向かって延びている。左前カバー２５Ｂは、左前フレーム２５Ｃの開口２５Ｃａを開閉可能に左前フレーム２５Ｃに取り付けられている。左前カバー２５Ｂは、左端を軸にして回転可能であり、左前カバー２５Ｂの前面の右部には、取っ手２５Ｅが設けられている。
【００２６】
図１に示すように、第１ケース部２０Ａは、中央上フレーム２７Ａと、左上フレーム２７Ｂと、後上フレーム２７Ｃと、後フレーム２８（図６参照）と、左フレーム２９（図４参照）とをさらに有している。図１に示すように、中央上フレーム２７Ａは、中央前フレーム２５Ａよりも上方に配置されており、前斜め下向きに傾斜している。ここでは、中央上フレーム２７Ａと中央前フレーム２５Ａとの間には、開口３０が形成されている。左上フレーム２７Ｂは、中央上フレーム２７Ａの左方、および、開口３０の左方に配置されており、前斜め下向きに傾斜している。左上フレーム２７Ｂの上面の右部には、取っ手２７Ｂａが設けられている。本実施形態では、左上フレーム２７Ｂと中央上フレーム２７Ａとの間、および左上フレーム２７Ｂと開口３０との間には、後述するサポートフレーム３４（図８参照）と同様のサポートフレーム（図示せず）が設けられていてもよい。後上フレーム２７Ｃは、中央上フレーム２７Ａの後端（言い換えると、上端）、および、左上フレーム２７Ｂの後端（言い換えると、上端）から後斜め下向きに傾斜している。
【００２７】
図６に示すように、後フレーム２８は、後上フレーム２７Ｃの後端に接続されており、後上フレーム２７Ｃの後端から下方に向かって延びている。言い換えると、後フレーム２８は、ベース部２１の後端の中央部分および左部から上方に向かって延びている。後フレーム２８は、１つの部材によって構成されていてもよいし、２つ以上の複数の部材によって構成されていてもよい。図４に示すように、左フレーム２９は、ベース部２１の左端から上方に向かって延びている。左フレーム２９は、左前フレーム２５Ｃ（図３参照）の左端、左上フレーム２７Ｂ（図１参照）の左端、後上フレーム２７Ｃ（図１参照）の左端、および、後フレーム２８（図６参照）の左端に接続されている。
【００２８】
本実施形態では、第１ケース部２０Ａを構成する部品、すなわち、中央前フレーム２５Ａと、左前カバー２５Ｂと、左前フレーム２５Ｃと、中央上フレーム２７Ａと、左上フレーム２７Ｂと、後上フレーム２７Ｃと、後フレーム２８と、左フレーム２９とは、金属によって形成されており、例えば板金によって構成されている。しかしながら、第１ケース部２０Ａを構成する部品の材料は特に限定されない。
【００２９】
本実施形態では、図１に示すように、第１ケース部２０Ａの中央上フレーム２７Ａと中央前フレーム２５Ａとの間に形成された開口３０を開閉可能に中央カバー４５が設けられている。この中央カバー４５には、窓４５ａが設けられている。窓４５ａは、例えば透明のアクリル板によって形成されている。作業者は、窓４５ａからケース２０内の印刷空間２４Ａ（図２参照）を視認することができる。
【００３０】
第２ケース部２０Ｂは、上述のようにメンテナンス空間２４Ｂ（図２参照）を形成する部分である。図９は、ケース２０の第２ケース部２０Ｂの斜視図であり、後述する右前カバー３２が開いてる状態を示す図である。図９に示すように、第２ケース部２０Ｂは、開口３１ａが形成された右前フレーム３１と、右前フレーム３１の開口３１ａを開閉自在に設けられた右前カバー３２とを備えている。右前フレーム３１は、中央前フレーム２５Ａの右端に接続されており、図１に示すように、平面視において中央前フレーム２５Ａの右端から右斜め後ろに向かって傾斜している。右前フレーム３１は、ベース部２１の前端の右部から上方に向かって延びている。右前カバー３２が閉じている状態において、右前カバー３２は、右前フレーム３１の前方に配置され、正面視において右前フレーム３１と重なる位置に配置されている。右前カバー３２は、右前フレーム３１の開口３１ａを開閉可能に右前フレーム３１に取り付けられている。ここでは、右前カバー３２は、右端を軸にして回転可能である。図３に示すように、右前カバー３２の前面の左部には、取っ手３２ａが設けられている。本実施形態では、図９に示すように、右前カバー３２には、いわゆるインターロック機構３２ｂが設けられている。このインターロック機構３２ｂによって、右前カバー３２は、右前フレーム３１の開口３１ａを閉じた状態でロックされる。
【００３１】
図９に示すように、第２ケース部２０Ｂは、右フレーム３３と、サポートフレーム３４と、第１右上フレーム３５（図１参照）と、第２右上フレーム３６（図１参照）と、右後フレーム３７（図６参照）とを備えている。図５に示すように、右フレーム３３は、ベース部２１の右端から上方に向かって延びている。本実施形態では、右フレーム３３の形状は、五角形形状である。図９に示すように、サポートフレーム３４は、右フレーム３３から所定の距離離れている。サポートフレーム３４と右フレーム３３とは、対向するように配置されている。サポートフレーム３４は、上述の開口３０（図１参照）の右方、および、中央上フレーム２７Ａの右方に配置されており、前斜め下方に向かって延びている。サポートフレーム３４の下端は、右前フレーム３１に接続されている。本実施形態では、サポートフレーム３４の短手方向に沿った断面形状は、Ｌ字状である。なお、右フレーム３３は、本発明の「第１フレーム」に対応しており、サポートフレーム３４は、本発明の「第２フレーム」に対応している。
【００３２】
図１に示すように、第１右上フレーム３５は、中央上フレーム２７Ａの右方およびサポートフレーム３４（図９参照）の上部の右方に配置されており、前斜め下方に向かって傾斜するように配置されている。本実施形態では、図９に示すように、右前フレーム３１、右フレーム３３、サポートフレーム３４、および、第２右上フレーム３６によって囲まれることで、開口３８が形成されている。開口３８は、例えばメンテナンス用の開口である。第１右上フレーム３５は、開口３８の少なくとも一部（言い換えると、平面視においてメンテナンス空間２４Ｂの一部）を覆うように、右フレーム３３とサポートフレーム３４とに連結されている。第１右上フレーム３５は、右フレーム３３およびサポートフレーム３４に対して取り外し可能に構成されている。ここでは、第１右上フレーム３５は、ネジ（図示せず）を介して右フレーム３３およびサポートフレーム３４に取り付けられている。上記ネジを取り外すことで、第１右上フレーム３５を取り外すことが可能となる。なお、本実施形態では、第１右上フレーム３５は、本発明の「第３フレーム」に対応している。
【００３３】
図１に示すように、第２右上フレーム３６は、第１右上フレーム３５の後端（言い換えると、上端）から後斜め下向きに傾斜している。図７に示すように、第２右上フレーム３６の左端は、後上フレーム２７Ｃの右端に接続されている。第２右上フレーム３６の右端は、右フレーム３３の上端に接続されている。なお、本実施形態では、第２右上フレーム３６は、本発明の「第４フレーム」の対応している。
【００３４】
ここで、第２右上フレーム３６と右フレーム３３との接続構造について説明する。図１０は、ケース２０の第２ケース部２０Ｂの一部を拡大した斜視図である。図１１は、第２右上フレーム３６および右フレーム３３の断面図である。図１０に示すように、右フレーム３３の上端の第２右上フレーム３６との接続部分には、第２右上フレーム３６側に延びたフランジ３３ａが設けられている。図１１に示すように、フランジ３３ａの端は、第２右上フレーム３６の右端と接触している。言い換えると、フランジ３３ａの端は、第２右上フレーム３６の右端に突き当てられている。
【００３５】
ここでは、フランジ３３ａの裏面（ここでは、下面）から第２右上フレーム３６の裏面（ここでは、下面）に亘って、裏当て部材４８が設けられている。裏当て部材４８は、金属製であり、例えば板金である。裏当て部材４８は、ネジ３９によってフランジ３３ａに固定されている。しかしながら、裏当て部材４８は、第２右上フレーム３６に固定されていてもよい。このように、右フレーム３３のフランジ３３ａの端と、第２右上フレーム３６の右端との接触部分の周辺は、裏当て部材４８と重なっており、２重構造である。なお、このような裏当て部材４８は、他のフレーム同士の接続部分に使用されていてもよい。例えば、第１ケース部２０Ａの後フレーム２８と左フレーム２９との接続部分、および、右後フレーム３７と右フレーム３３との接続部分に、上記裏当て部材４８が使用されてもよい。
【００３６】
図７に示すように、右後フレーム３７は、第２右上フレーム３６の後端（言い換えると、上端）に接続されており、第２右上フレーム３６の後端から下方に向かって延びている。言い換えると、右後フレーム３７は、ベース部２１の後端の右部から上方に向かって延びている。右後フレーム３７は、後フレーム２８の右端、および、右フレーム３３の後端に接続されている。なお、上述のように、右後フレーム３７と右フレーム３３とは、裏当て部材４８（図１１参照）によって互いが接続されていてもよい。この場合、右フレーム３３には、後端から右後フレーム３７に向かって延びたフランジ３３ｂ（図１０参照）が設けられている。
【００３７】
本実施形態では、第２ケース部２０Ｂを構成する部品、すなわち、右前フレーム３１と、右前カバー３２と、右フレーム３３と、サポートフレーム３４と、第１右上フレーム３５と、第２右上フレーム３６と、右後フレーム３７とは、金属によって形成されており、例えば板金によって構成されている。しかしながら、第２ケース部２０Ｂを構成する部品の材料は特に限定されない。
【００３８】
次に、操作パネル９０（図８参照）について説明する。操作パネル９０は、作業者によって操作されるものである。ここでは、作業者が操作パネル９０を操作することで、印刷に関する設定、および、メンテナンス時の操作を行うことができる。図８に示すように、操作パネル９０は、ケース２０の右部、すなわち、第２ケース部２０Ｂに設けられている。操作パネル９０は、パネル本体９１と、表示画面９２と、操作部９３とを備えている。
【００３９】
パネル本体９１は、板状の部材であり、表示画面９２および操作部９３が設けられている。図示は省略するが、パネル本体９１の下方には、回路基板、および、回路基板と表示画面９２または操作部９３とを接続するケーブルなどが配置されている。パネル本体９１は、ケース２０を構成する少なくとも２つのフレームに連結されている。本実施形態では、図９に示すように、パネル本体９１は、第２ケース部２０Ｂの右フレーム３３およびサポートフレーム３４に連結されており、右フレーム３３とサポートフレーム３４に挟み込まれている。ここで、「挟み込まれている」とは、必ずしもパネル本体９１の左右両端が右フレーム３３およびサポートフレーム３４に押し付けられている必要はなく、パネル本体９１の左右両端が右フレーム３３およびサポートフレーム３４に少なくとも当接していることをいう。「挟み込まれる」には、パネル本体９１の左右両端が右フレーム３３およびサポートフレーム３４に押し付けられていない状態で、右フレーム３３およびサポートフレーム３４に固定（例えばネジで固定）されているものが含まれる。「挟み込まれている」には、例えばパネル本体９１の左右両端が右フレーム３３およびサポートフレーム３４に押し付けられているものも含まれる。
【００４０】
ここでは、パネル本体９１は、右前フレーム３１にも連結されている。本実施形態では、パネル本体９１は、第１右上フレーム３５（図１参照）に対して一段下がった位置に配置されている。ここで、「一段下がった位置」とは、第１右上フレーム３５の上面を含む延長面よりも下方にパネル本体９１の上面が位置することをいう。ここでは、図９に示すように、パネル本体９１の上面は、右フレーム３３の上端およびサポートフレーム３４の上端よりも下方に位置している。パネル本体９１は、前斜め下向きに傾斜するように配置されている。
【００４１】
図８に示すように、パネル本体９１は、第２ケース部２０Ｂの開口３８の一部を閉鎖するように配置されている。ここでは、パネル本体９１が右フレーム３３とサポートフレーム３４とに挟み込まれることで、開口３８は、パネル本体９１の上方に位置する第１開口３８ａと、パネル本体９１の下方に位置する第２開口３８ｂとに分けられる。キャリッジ６２およびインクヘッド６６（図２参照）がホームポジションＨＰに位置しているときにおいて、第１開口３８ａを通じてキャリッジ６２を視認することができ、キャリッジケース６３を取り外すことで第１開口３８ａを通じてインクヘッド６６（図２参照）を視認することができる。
【００４２】
本実施形態では、第１開口３８ａの開口面積は、第２開口３８ｂの開口面積よりも大きい。しかしながら、第１開口３８ａの開口面積は、第２開口３８ｂの開口面積と同じであってもよいし、第２開口３８ｂの開口面積よりも小さくてもよい。なお、第２開口３８ｂは省略されていてもよい。
【００４３】
パネル本体９１は金属によって形成されている。ここでは、パネル本体９１は、板金によって形成されている。そのため、パネル本体９１は、第２ケース部２０Ｂの右フレーム３３とサポートフレーム３４によって挟み込まれることで、ケース２０の剛性を高めることができる。このように、パネル本体９１は、操作パネル９０の一部品としての役割の他に、ケース２０の剛性を高める役割を担っている。
【００４４】
図９に示すように、表示画面９２は、印刷に関する情報やメンテナンスに関する情報が表示される。表示画面９２の種類は特に限定されないが、例えばＬＣＤ（Ｌｉｑｕｉｄ  Ｃｒｙｓｔａｌ  Ｄｉｓｐｌａｙ）である。表示画面９２は、パネル本体９１の上面に配置されている。
【００４５】
操作部９３は、作業者によって操作されるものであり、操作部９３を操作することによって印刷やメンテナンスに関する設定を行うことができる。操作部９３の種類は特に限定されないが、例えば複数のボタンによって構成されている。操作部９３は、表示画面９２と同じように、パネル本体９１の上面に配置されている。よって、作業者は、表示画面９２を見ながら、操作部９３を操作することができる。
【００４６】
図１２は、第１右上フレーム３５およびパネルカバー４１の斜視図であり、パネルカバー４１が閉じている状態を示す図である。図１３は、第１右上フレーム３５、操作パネル９０およびパネルカバー４１の斜視図であり、パネルカバー４１が開いている状態を示す図である。図１２および図１３に示すように、ケース２０は、パネルカバー４１を備えている。パネルカバー４１は、少なくとも操作パネル９０の表示画面９２および操作部９３を覆うものである。本実施形態では、パネルカバー４１は、操作パネル９０のパネル本体９１の全体を覆うものである。パネルカバー４１は、表示画面９２および操作部９３を外部に開放自在にする。ここでは、パネルカバー４１は、第２ケース部２０Ｂの開口３８を開閉可能に設けられている。パネルカバー４１が開口３８を開放しているとき、表示画面９２および操作部９３は開放された状態となる。
【００４７】
パネルカバー４１は、ケース２０を構成するフレームに取り付けられ、当該フレームが取り外されるときに共に取り外される。本実施形態では、パネルカバー４１は、上端を軸に回転可能である。パネルカバー４１は、上方に位置する第１右上フレーム３５に接続されており、第１右上フレーム３５に対して回転可能である。そのため、パネルカバー４１は、第１右上フレーム３５の取り外しに伴って、ケース２０から取り外し可能に構成されている。ここでは、図１３に示すように、パネルカバー４１の上部は、２つのヒンジ４２を介して第１右上フレーム３５の下部に接続されている。ただし、ヒンジ４２の数は特に限定されず、１つであってもよいし、３つ以上であってもよい。図１２に示すように、パネルカバー４１の上面には、取っ手４３が設けられている。この取っ手４３は、パネルカバー４１の上面の左部に設けられているが、取っ手４３の配置位置は特に限定されない。
【００４８】
図５に示すように、パネルカバー４１は、操作パネル９０を覆っている状態において、前斜め下向きに傾斜するように配置されている。詳しくは、パネルカバー４１は、表示画面９２および操作部９３を覆う方向（ここでは、前斜め下方向）に下降傾斜している。そのため、パネルカバー４１は、自重で閉じている状態となる。よって、本実施形態では、パネルカバー４１には、いわゆるインターロック機構が設けられていない。
【００４９】
本実施形態では、パネルカバー４１が操作パネル９０を覆うように配置されている状態において、パネルカバー４１の上面と、第１右上フレーム３５の上面とは面一である。ここで、パネルカバー４１の上面とは、取っ手４３を除いたパネルカバー４１の上面のことをいう。
【００５０】
本実施形態では、操作パネル９０を使用しないときには、操作パネル９０は、図１２に示すようにパネルカバー４１によって覆われている。操作パネル９０を使用するときには、図１３に示すように、作業者は取っ手４３を掴んで、パネルカバー４１を上方に回転させて開いた状態にする。そして、操作パネル９０を使用した後、作業者はパネルカバー４１を下方に回転させ、パネルカバー４１の自重によってパネルカバー４１を閉じた状態にする。
【００５１】
メンテナンスを実施するときには、第１右上フレーム３５を取り外す。本実施形態では、パネルカバー４１は、第１右上フレーム３５に接続されているため、パネルカバー４１は第１右上フレーム３５と共に取り外される。このことで、図８に示すように、開口３８を通じてキャリッジ６２を視認することができる。また、キャリッジケース６３を取り外すことで、開口３８を通じてインクヘッド６６（図２参照）を視認することができる。なお、メンテナンスを実施するときには、図９に示すように、右前カバー３２が開かれた状態にしてもよい。このことによって、右前フレーム３１の開口３１ａを通じてメンテナンスを実施することができる。本実施形態では、操作パネル９０が第２ケース部２０Ｂに設けられているため、メンテナンス時に、操作パネル９０の操作部９３を操作し易い。
【００５２】
以上、本実施形態では、図９に示すように、パネル本体９１は、ケース２０を構成する右フレーム３３とサポートフレーム３４とによって挟み込まれている。そのため、パネル本体９１によってケース２０の剛性を高めることができる。また、パネル本体９１自体は、操作パネル９０を構成する部品の一部である。よって、本実施形態では、操作パネル９０を構成する一部品であるパネル本体９１をケース２０の剛性を高めるために使用しているため、ケース２０の部品点数を増やすことなく、ケース２０の剛性を高めることができる。
【００５３】
本実施形態では、図１２に示すように、操作パネル９０を使用しないときには、操作パネル９０の表示画面９２および操作部９３をパネルカバー４１によって覆うことができる。よって、操作パネル９０を操作する必要がないときに、操作パネル９０を誤って操作することを抑制することができる。
【００５４】
本実施形態では、図１３に示すように、パネルカバー４１は、第１右上フレーム３５に対して回転自在に第１右上フレーム３５に取り付けられている。パネルカバー４１は、第１右上フレーム３５の取り外しに伴って、ケース２０から取り外し可能に構成されている。このことによって、メンテナンス時に、第１右上フレーム３５を取り外す際、パネルカバー４１も一体となって取り外される。よって、パネルカバー４１のみを取り外す作業を削減することができる。したがって、作業者におけるメンテナンス時にかかる負担を軽減することができると共に、メンテナンスに要する時間を減らすことができる。
【００５５】
本実施形態では、図８に示すように、パネル本体９１に連結される右フレーム３３およびサポートフレーム３４は、平面視においてテーブル８１（図２参照）よりも右方に設けられ、ホームポジションＨＰの近傍に位置している。右フレーム３３とサポートフレーム３４の間の開口３８を通じてメンテナンスが実施される。メンテナンスは定期的に実施されるものであるため、開口３８を開放させる頻度は高い。よって、このように、開放させる頻度が高い開口３８を形成する右フレーム３３とサポートフレーム３４の間の剛性を、パネル本体９１によって高めることができる。
【００５６】
本実施形態では、パネルカバー４１が操作パネル９０の表示画面９２および操作部９３を覆っているとき、図５に示すように、パネルカバー４１の上面と、第１右上フレーム３５の上面とは、面一である。このことによって、ケース２０の美観を損なわない。
【００５７】
本実施形態では、図５に示すように、パネルカバー４１は、傾斜するように配置されている。このことによって、パネルカバー４１が操作パネル９０を覆っているとき、パネルカバー４１の自重によって上記の覆っている状態を維持することができる。
【００５８】
本実施形態では、図１１に示すように、右フレーム３３のフランジ３３ａの裏面から第２右上フレーム３６の裏面に亘って、裏当て部材４８が設けられている。右フレーム３３のフランジ３３ａの端は、第２右上フレーム３６の右端と接触している。このことによって、右フレーム３３のフランジ３３ａの端と、第２右上フレーム３６の右端との接触部分の周辺は、裏当て部材４８と重なっており、２重構造である。よって、右フレーム３３のフランジ３３ａの端と、第２右上フレーム３６の右端との間から、ケース２０内の光がケース２０の外部に漏れること、および、ケース２０の外部からの光が内部に入り込むことを抑制することができる。
【００５９】
本実施形態では、裏当て部材４８は、右フレーム３３のフランジ３３ａに固定されている。このことによって、右フレーム３３のフランジ３３ａに裏当て部材４８を固定した状態で、裏当て部材４８に対して第２右上フレーム３６をスライドさせることで、第２右上フレーム３６の右端を右フレーム３３のフランジ３３ａの端に突き当て易い。よって、右フレーム３３に対する第２右上フレーム３６の位置合わせがし易い。
【００６０】
以上、一実施形態に係るプリンタ１０について説明した。上記実施形態では、本発明の第１フレームは右フレーム３３であり、本発明の第２フレームはサポートフレーム３４であった。パネル本体９１は、左右に並んだ右フレーム３３とサポートフレーム３４とを連結させていた。しかしながら、パネル本体９１は、前後に並んだフレームを連結させてもよい。例えば、パネル本体９１は、第１右上フレーム３５と右前フレーム３１とを連結させてもよい。この場合、第１フレームは第１右上フレーム３５であり、第２フレームは右前フレーム３１である。
【００６１】
また、第１フレームが右フレーム３３であり、第２フレームが第１右上フレーム３５であってもよい。この場合であっても、パネル本体９１を右フレーム３３および第１右上フレーム３５に連結させることで、ケース２０の剛性を高めることができる。
【符号の説明】
【００６２】
１０  プリンタ
２０  ケース
３３  右フレーム（第１フレーム）
３４  サポートフレーム（第２フレーム）
３５  第１右上フレーム（第３フレーム）
３６  第２右上フレーム（第４フレーム）
４１  パネルカバー
４８  裏当て部材
８１  テーブル（載置部）
９０  操作パネル
９１  パネル本体
９２  表示画面
９３  操作部
【図１】
2020151998.tif 000003
【図２】
2020151998.tif 000004
【図３】
2020151998.tif 000005
【図４】
2020151998.tif 000006
【図５】
2020151998.tif 000007
【図６】
2020151998.tif 000008
【図７】
2020151998.tif 000009
【図８】
2020151998.tif 000010
【図９】
2020151998.tif 000011
【図１０】
2020151998.tif 000012
【図１１】
2020151998.tif 000013
【図１２】
2020151998.tif 000014
【図１３】
2020151998.tif 000015